(57)【要約】【課題】複数の温水暖房端末装置を同一のタイミングで発停させる場合における温水暖房端末装置の発停操作性に優れた温水暖房システムを提供する。【解決手段】屋外に設置された温水暖房熱源機１０と、この温水暖房熱源機１０によって生成された温水を利用して、浴室Ｒ１及び１階居間Ｒ２をそれぞれ暖房する温水暖房端末装置２０、３０、４０とを備えている。温水暖房端末装置２０、３０、４０の発停操作は、それぞれの操作リモコン２１、３１、４１だけでなく、温水暖房熱源機１０の操作リモコン１１によっても行うことができるようになっており、操作リモコン１１では、相互に関連する複数の温水暖房端末装置を組み合わせて、その組み合わせを予め登録しておくことによって、組み合わせた複数の温水暖房端末装置を、１回の操作によって、同時に発停させることができるようになっている。【選択図】　　　　図１
2004093063.tif 000002
【特許請求の範囲】
【請求項１】
複数の温水暖房端末装置と、
前記温水暖房端末装置に温水を供給する温水暖房熱源機と、
前記温水暖房端末装置を操作する端末操作手段と、
前記温水暖房熱源機を操作する熱源操作手段とを備え、
前記熱源操作手段は、任意に組み合わせた複数の前記温水暖房端末装置を、一体的に操作することができるようになっていることを特徴とする温水暖房システム。
【請求項２】
前記熱源操作手段は、任意に組み合わせた複数の前記温水暖房端末装置に対して、それらの運転予約を一括して設定または解除することができるようになっている請求項１に記載の温水暖房システム。
【請求項３】
前記温水暖房熱源機と前記熱源操作手段とが、第１の通信手段を介して、相互に通信可能に接続されており、
前記温水暖房熱源機と前記温水暖房端末装置とが、第２の通信手段を介して、相互に通信可能に接続されている請求項１または２に記載の温水暖房システム。
【発明の詳細な説明】
【０００１】
【発明の属する技術分野】
この発明は、温水暖房熱源機によって生成された温水を利用して暖房を行う温水暖房システムに関する。
【０００２】
【従来の技術】
浴室や居室を暖房する暖房システムとしては、例えば、屋外に設置された温水暖房熱源機と、浴室内に設置された浴室暖房乾燥機や居室内に設置されたファンコンベクタ、温水式床暖房フロア等の温水暖房端末装置とを配管で接続し、温水暖房熱源機によって生成された温水を温水暖房端末装置に循環供給するようにした温水暖房システムがあり、屋外に設置される温水暖房熱源機を操作するための操作リモコンは、通常、台所に設置されると共に、それぞれの温水暖房端末装置を操作するための操作リモコンや操作パネル等は、各温水暖房端末装置が設置される部屋に設けられている。従って、こういった温水暖房システムでは、温水暖房熱源機の発停操作を台所で、各温水暖房端末装置の発停操作をそれぞれの部屋で行うことになる。
【０００３】
また、上述したような温水暖房システムでは、ある時刻になると、特定の部屋の暖房を自動的に開始したり、停止したりすることができるように、各温水暖房端末装置が予約運転を行うことができるようになっているものがあり、こういった温水暖房システムにおける各温水暖房端末装置の運転予約の設定は、各温水暖房端末装置が設置されている部屋に設けられた各温水暖房端末装置の操作リモコンや操作パネル等によって行うようになっている。
【０００４】
【発明が解決しようとする課題】
ところで、例えば、居間を２台のファンコンベクタによって暖房するといった具合に、同一室に複数の温水暖房端末装置を設置する場合や、浴室を浴室暖房乾燥機によって、脱衣場を脱衣場暖房機によってそれぞれ暖房するといった具合に、相互に関連した使い勝手を有する部屋にそれぞれ温水暖房端末装置を設置する場合は、通常、これら複数の温水暖房端末装置を、同一のタイミングで発停させることになるが、上述したような温水暖房システムでは、各温水暖房端末装置毎に発停操作や運転予約の設定操作等を繰り返して行わなければならず、複数の温水暖房端末装置を同時に発停させる場合の操作性が悪いといった問題がある。
【０００５】
そこで、この発明の課題は、複数の温水暖房端末装置を同一のタイミングで発停させる場合における温水暖房端末装置の発停操作性に優れた温水暖房システムを提供することにある。
【０００６】
【課題を解決するための手段及びその効果】
上記の課題を解決するため、請求項１にかかる発明は、複数の温水暖房端末装置と、前記温水暖房端末装置に温水を供給する温水暖房熱源機と、前記温水暖房端末装置を操作する端末操作手段と、前記温水暖房熱源機を操作する熱源操作手段とを備え、前記熱源操作手段は、任意に組み合わせた複数の前記温水暖房端末装置を、一体的に操作することができるようになっていることを特徴とする温水暖房システムを提供するものである。
【０００７】
以上のように、この温水暖房システムでは、熱源操作手段によって、任意に組み合わせた複数の温水暖房端末装置を一体的に操作することができるようになっているので、同一室に複数の温水暖房端末装置が設置されているような場合には、それらの複数の温水暖房端末装置を組み合わせることで、１回の操作によって、同時に発停させることが可能となり、必ず、温水暖房端末装置毎にその発停操作を行わなければならない従来の温水暖房システムに比べて、温水暖房端末装置の発停操作性が向上する。
【０００８】
また、請求項２にかかる発明の温水暖房システムのように、前記熱源操作手段は、任意に組み合わせた複数の前記温水暖房端末装置に対して、それらの運転予約を一括して設定または解除することができるようになっているものにあっては、同一室に設置された複数の温水暖房端末装置のように、同一時刻に暖房運転を開始し、同一時刻に暖房運転を停止する場合には、それらの複数の温水暖房端末装置を組み合わせることで、１回の操作によって、複数の温水暖房端末装置に対して運転予約の設定及びその解除を行うことが可能となり、必ず、温水暖房端末装置毎に運転予約の設定及びその解除を行わなければならない従来の温水暖房システムに比べて、温水暖房端末装置の運転予約に関する操作性が向上する。
【０００９】
【発明の実施の形態】
以下、実施の形態について図面を参照して説明する。図１に示すように、この温水暖房システム１は、屋外に設置された温水暖房熱源機１０と、この温水暖房熱源機１０によって生成された温水を利用して、浴室Ｒ１及び１階居間Ｒ２をそれぞれ暖房する温水暖房端末装置２０、３０、４０とを備えており、温水暖房熱源機１０と、各温水暖房端末装置２０、３０、４０とが、温水循環経路を形成する温水配管ＨＰによってそれぞれ接続されている。
【００１０】
前記温水暖房熱源機１０は、暖房機能の他、シャワーやカラン等への給湯機能、浴室Ｒ１内に設置された浴槽に対する自動お湯張り機能や追焚機能を兼ね備えた複合給湯器であり、台所に設置された操作リモコン１１によって、遠隔操作することができるようになっている。なお、温水暖房熱源機１０には、その運転動作を制御するコントローラ１０ａと、通信系として電源重畳信号伝送方式により前記操作リモコン１１と通信を行う電源重畳通信手段（第１の通信手段）及びこの電源重畳通信手段（第１の通信手段）とは異なる通信方式によって、温水暖房端末装置２０、３０、４０と双方向通信を行う通信手段（第２の通信手段）とが搭載されており、コントローラ１０ａが、電源重畳通信手段（第１の通信手段）及び電源に信号を重畳して伝送する二芯通信線ＣＬ１を介して、操作リモコン１１のコントローラ１１ａと相互に通信可能に接続されている。
【００１１】
前記操作リモコン１１は、時計機能を備えており、図２に示すように、運転スイッチ１２と、給湯設定温度等の熱源機関連情報や時刻等を表示する表示部１３と、各種設定画面を表示させるための設定ボタン１４と、各設定画面において、設定温度等を入力したり、設定項目を選択したりするための入力選択ボタン１５ａ、１５ｂと、浴槽への自動お湯張りを行うための「ふろ自動」ボタン１６とが設けられている。
【００１２】
温水暖房端末装置２０は、浴室Ｒ１に設置される浴室暖房乾燥機、温水暖房端末装置３０、４０は、１階居間Ｒ２に設置される温水式床暖房フロア及びファンコンベクタであり、各温水暖房端末装置２０、３０、４０には、それぞれの運転動作を制御するコントローラ２０ａ、３０ａ、４０ａが搭載されている。
【００１３】
また、各温水暖房端末装置２０、３０、４０のコントローラ２０ａ、３０ａ、４０ａは、前記通信手段（第２の通信手段）及び双方向通信用の通信線ＣＬ２を介して、温水暖房熱源機１０と相互に通信可能に接続されていると共に、コントローラ３０ａ、４０ａは、双方向に信号を伝達する制御線ＳＬを介して、操作リモコン３１、４１のコントローラ３１ａ、４１ａに接続されており、各温水暖房端末装置２０、３０、４０の発停操作は、それぞれの操作リモコン２１、３１、４１だけでなく、温水暖房熱源機１０の操作リモコン１１によっても行うことができるようになっている。なお、温水暖房端末装置（浴室暖房乾燥機）２０を操作する操作リモコン２１は、ワイヤレスリモコンであり、浴室Ｒ１の壁面等に着脱自在に取り付けられている。
【００１４】
例えば、温水暖房熱源機１０の操作リモコン１１によって、温水暖房端末装置（ファンコンベクタ）４０の発停を行う場合は、まず、操作リモコン１１の運転スイッチ１２を「入」にした状態で、図３（ａ）に示すように、設定ボタン１４を押すことによって「暖房」に切り換えると、表示部１３に暖房表示画面が表示される。
【００１５】
ここで、入力選択ボタン１５ａを押して「入／切」を選択すると、同図（ｂ）に示すように、各温水暖房端末装置２０、３０、４０の略称（この場合、端末１：浴室暖房、端末２：１Ｆ居間Ａ、端末３：１Ｆ居間Ｂ）が表示部１３に表示されるので、入力選択ボタン１５ｂを押すことによって、温水暖房端末装置（ファンコンベクタ）４０を示している「端末３：１Ｆ居間Ｂ」を選択する（同図（ｃ）参照）。なお、表示部１３には、温水暖房端末装置の略称が２つしか表示されないので、３以上の温水暖房端末装置が設置されている場合は、入力選択ボタン１５ｂを押して表示画面をスクロールさせることにより、発停を行おうとする温水暖房端末装置の略称を表示部１３に表示させて選択することになる。
【００１６】
このように、発停を行おうとする温水暖房端末装置４０を選択した状態で、設定ボタン１４を押すと、同図（ｄ）に示すように、発停操作画面に切り替わるので、入力選択ボタン１５ａ、１５ｂのいずれか一方を押すことによって、操作リモコン１１のコントローラ１１ａから、二芯通信線ＣＬ１、電源重畳通信手段（第１の通信手段）、通信手段（第２の通信手段）及び通信線ＣＬ２を介して、温水暖房端末装置（ファンコンベクタ）４０のコントローラ４０ａに発停指令が送信され、温水暖房端末装置（ファンコンベクタ）４０を発停させることができる。
【００１７】
さらに、温水暖房熱源機１０の操作リモコン１１では、複数の温水暖房端末装置の組み合わせを予め登録しておくと、その組み合わせにかかる複数の温水暖房端末装置に対して、一体的に発停操作を行うことができるようになっており、同一室に設置される複数の温水暖房端末装置のように、通常、同一のタイミングで発停を行う複数の温水暖房端末装置同士を組み合わせて登録しておけばよい。
【００１８】
例えば、１階居間Ｒ２に設置された温水暖房端末装置（温水式床暖房フロア）３０と温水暖房端末装置（ファンコンベクタ）４０との組み合わせを登録する場合は、操作リモコン１１の運転スイッチ１２を「切」にした状態で、設定ボタン１４を押すと、図４（ａ）に示すように、各種設定項目（この場合、「音量」、「ふろ保温時間」、「暖房端末組合せ」等）が表示部１３に表示されるので、温水暖房端末装置の略称を選択する場合と同様に、入力選択ボタン１５ｂを押すことによって、「暖房端末組合せ」を選択する（同図（ｂ）参照）。
【００１９】
このように、「暖房端末組合せ」を選択した状態で、設定ボタン１４を押すと、温水暖房端末装置２０、３０、４０の略称が表示部１３に表示されるので、同図（ｃ）に示すように、入力選択ボタン１５ｂを押すことによって、温水暖房端末装置（温水式床暖房フロア）３０を示している「端末２：１Ｆ居間Ａ」を選択した後、設定ボタン１４を押すと、同図（ｄ）に示すように、「端末２：１Ｆ居間Ａ」の選択マークが点灯する。続いて、同様の操作を繰り返し行うことによって、温水暖房端末装置（ファンコンベクタ）４０を示している「端末３：１Ｆ居間Ｂ」の選択マークを点灯させた後（同図（ｅ）参照）、設定スイッチ１４を押すと、温水暖房端末装置（温水式床暖房フロア）３０と温水暖房端末装置（ファンコンベクタ）４０との組み合わせの登録が完了する。
【００２０】
このように、温水暖房端末装置（温水式床暖房フロア）３０と温水暖房端末装置（ファンコンベクタ）４０との組み合わせを予め登録しておくと、温水暖房熱源機１０の操作リモコン１１によって、温水暖房端末装置２０、３０、４０を発停させる際、操作リモコン１１の表示部１３に表示される温水暖房端末装置３０、４０の略称表示が、図５（ａ）に示すように、「端末２３：１Ｆ居間」に変更される。従って、この「端末２３：１Ｆ居間」を、入力選択ボタン１５ｂによって選択した後、設定ボタン１４を押すと、同図（ｂ）に示すような発停操作画面に切り替わるので、入力選択ボタン１５ａ、１５ｂのいずれか一方を押すことによって、温水暖房端末装置３０、４０を同時に発停させることができる。
【００２１】
また、温水暖房端末装置２０、３０、４０は、予め設定した時間帯において、自動的に暖房を行う予約運転が可能であり、こういった予約運転を行うための運転予約の設定は、それぞれの操作リモコン２１、３１、４１だけでなく、温水暖房熱源機１０の操作リモコン１１によっても行うことができるようになっている。なお、一旦設定された運転予約は、操作リモコン２１、３１、４１または操作リモコン１１のいずれによっても、解除することができるようになっている。
【００２２】
例えば、温水暖房熱源機１０の操作リモコン１１によって、１階居間Ｒ２を暖房する温水暖房端末装置（温水式床暖房フロア）３０及び温水暖房端末装置（ファンコンベクタ）４０の運転予約の設定を行う場合は、まず、操作リモコン１１の運転スイッチ１２を「入」にした状態で、図６（ａ）に示すように、設定ボタン１４を押すことによって「暖房」に切り換えると、表示部１３に暖房表示画面が表示される。
【００２３】
ここで、入力選択ボタン１５ｂを押して「予約」を選択すると、同図（ｂ）に示すように、温水暖房端末装置２０、３０、４０の略称が表示部１３に表示されるので、入力選択ボタン１５ｂを押すことによって「端末２：１Ｆ居間Ａ」を選択する（同図（ｃ）参照）。
【００２４】
このように、「端末２：１Ｆ居間Ａ」を選択した状態で、設定ボタン１４を押すと、同図（ｄ）に示すように、暖房運転を行う時間帯を設定するための運転時間帯設定画面が表示部１３に表示されるので、同図（ｅ）に示すように、入力選択ボタン１５ｂを繰り返し押すことによって、切カーソル（□）を運転開始時間帯（この場合、ＡＭ７〜８）まで移動させた後、同図（ｆ）に示すように、入力選択ボタン１５ａを繰り返し押すことによって、運転開始時間帯まで入カーソル（■）を移動させると、温水暖房端末装置（温水式床暖房フロア）３０に対して、運転開始時間帯〜運転停止時間帯（この場合、ＡＭ７〜９）までの間の運転予約が完了する。
【００２５】
ここで、設定ボタン１４を押すと、同図（ｃ）に示すような温水暖房端末装置の略称表示に切り替わるので、入力選択ボタン１５ａ、１５ｂによって「端末３：１Ｆ居間Ｂ」を選択し、同様の設定作業を繰り返すことによって、温水暖房端末装置（ファンコンベクタ）４０に対する運転予約の設定を行うことができる。
【００２６】
このようにして、温水暖房熱源機１０の操作リモコン１１によって、温水暖房端末装置２０、３０、４０の運転予約の設定を行った場合は、設定された予約情報が、操作リモコン１１の記憶手段に保存される。一方、温水暖房端末装置２０、３０、４０の操作リモコン２１、３１、４１によって、温水暖房端末装置２０、３０、４０の運転予約の設定を行った場合は、設定された予約情報が、前記通信手段（第２の通信手段）により、操作リモコン２１、３１、４１のコントローラ２１ａ、３１ａ、４１ａから、通信線ＣＬ２を介して、温水暖房熱源機１０に送信される。このようにして、温水暖房熱源機１０に送信された予約情報は、電源重畳通信手段（第１の通信手段）に中継転送され、電源重畳通信手段により、二芯通信線ＣＬ１を介して、操作リモコン１１のコントローラ１１ａに送信され、操作リモコン１１の記憶手段に保存されるようになっている。
【００２７】
従って、温水暖房端末装置２０、３０、４０の操作リモコン２１、３１、４１または温水暖房熱源機１０の操作リモコン１１によって温水暖房端末装置２０、３０、４０の運転予約の設定が行われると、操作リモコン１１の記憶手段に保存された予約情報に基づいて、操作リモコン１１のコントローラ１１ａから、二芯通信線ＣＬ１、電源重畳通信手段（第１の通信手段）、通信手段（第２の通信手段）及び通信線ＣＬ２を介して、温水暖房端末装置２０、３０、４０のコントローラ２１ａ、３１ａ、４１ａに発停指令が送信され、この発停指令に従って、温水暖房端末装置２０、３０、４０が暖房運転を行うようになっている。
【００２８】
また、上述したように、温水暖房端末装置（温水式床暖房フロア）３０と温水暖房端末装置（ファンコンベクタ）４０との組み合わせを予め登録しておくと、温水暖房熱源機１０の操作リモコン１１によって、温水暖房端末装置３０、４０の運転予約の設定を行う際、操作リモコン１１の表示部１３に表示される温水暖房端末装置３０、４０の略称表示が、図５（ａ）に示すように、「端末２３：１Ｆ居間」に変更されるので、この「端末２３：１Ｆ居間」を、入力選択ボタン１５ｂによって選択した後、設定ボタン１４を押すと、図６（ｄ）に示すような運転時間帯設定画面に切り替わり、温水暖房端末装置３０、４０に対する運転予約の設定を１回の操作で同時に行うことができる。
【００２９】
以上のように、この温水暖房システム１では、同一室に設置される複数の温水暖房端末装置や、相互に関連する複数の温水暖房端末装置を組み合わせて、その組み合わせを予め登録しておくことによって、組み合わせた複数の温水暖房端末装置を、１回の操作によって、同時に発停させることができるので、必ず、温水暖房端末装置毎にその発停操作を行わなければならない従来の温水暖房システムに比べて、温水暖房端末装置の発停操作性が向上する。
【００３０】
さらに、この温水暖房システム１では、温水暖房端末装置の組み合わせを予め登録しておくことで、１回の操作によって、複数の温水暖房端末装置に対して運転予約の設定及びその解除を同時に行うことができるので、必ず、温水暖房端末装置毎に運転予約の設定及びその解除を行わなければならない従来の温水暖房システムに比べて、温水暖房端末装置の運転予約に関する操作性が向上する。
【００３１】
なお、上述した実施形態では、同一室に設置された複数の温水暖房端末装置の発停操作や運転予約の設定操作について説明したが、これに限定されるものではなく、例えば、浴室を浴室暖房乾燥機によって、脱衣場を脱衣場暖房機によってそれぞれ暖房する場合のように、使い勝手が相互に関連しているため、同一のタイミングで発停させればよい複数の温水暖房端末装置を有している温水暖房システムに対して、本発明を適用することができる。
【００３２】
また、上述した実施形態では、温水暖房熱源機１０として、暖房機能だけでなく、給湯機能や自動お湯張り機能等を兼ね備えた複合給湯器を使用しているが、これに限定されるものではなく、暖房専用の熱源機を使用することも可能である。
【００３３】
また、上述した実施形態では、温水暖房端末装置の運転予約の設定を行う際、予約したい運転時間帯を順次選択するようになっているが、これに限定されるものではなく、例えば、運転開始時刻や運転停止時刻を直接入力させるようにしてもよい。
【図面の簡単な説明】
【図１】この発明にかかる温水暖房システムの一実施形態を示す概略構成図である。
【図２】同上の温水暖房システムに使用される温水暖房熱源機の操作リモコンを示す正面図である。
【図３】（ａ）〜（ｄ）は同上の操作リモコンの表示部に表示される、温水暖房端末装置の発停操作を行うための画面を示す図である。
【図４】（ａ）〜（ｅ）は同上の操作リモコンの表示部に表示される、温水暖房端末装置の組み合わせを登録するための画面を示す図である。
【図５】（ａ）は温水暖房端末装置の組み合わせを登録した場合に、同上の操作リモコンの表示部に表示される温水暖房端末装置の略称表示画面、（ｂ）は同上の表示部に表示される発停操作画面を示す図である。
【図６】（ａ）〜（ｆ）は同上の操作リモコンの表示部に表示される、温水暖房端末装置の運転予約の設定画面を示す図である。
【符号の説明】
１　温水暖房システム
１０　温水暖房熱源機
１０ａ　コントローラ
１１　操作リモコン
１１ａ　コントローラ
２０、３０、４０　温水暖房端末装置
２０ａ、３０ａ、４０ａ　コントローラ
２１、３１、４１　操作リモコン
２１ａ、３１ａ、４１ａ　コントローラ
ＣＬ１　二芯通信線
ＣＬ２　通信線
ＨＰ　温水配管
【図１】
2004093063.tif 000003
【図２】
2004093063.tif 000004
【図３】
2004093063.tif 000005
【図４】
2004093063.tif 000006
【図５】
2004093063.tif 000007
【図６】
2004093063.tif 000008